(57)【要約】      （修正有）【課題】ＨＤ完全消去機能のインストールを行うＨＤ完全消去機能インストールシステムにおいて、管理者権限でのみ実行可能な仕様を保つことができるようにする。【解決手段】ファームウエアアップデート手段１２０に、ファームウエアアップデート実行手段１２１と管理者パスワード有無判断手段１２２と管理者パスワード設定手段１２３を持たせ、前記ＨＤ完全消去機能インストール手段１１１に、管理者パスワード設定確認依頼手段１１３と、管理者パスワード設定依頼手段１１４を持たせる。ユーザ１０１がＨＤ完全消去機能をデバイス１０４にインストールする際に、自動的に管理者パスワードの有無を確認し、管理者パスワードの設定が無い場合は、管理者パスワードの設定を要求し、管理者パスワードを設定しなければ、ＨＤ完全消去機能をインストールすることを不可能にする。【選択図】図１
2007086895.tif 000002
【特許請求の範囲】
【請求項１】
デバイスのファームウエアをアップデートするファームウエアアップデート手段と、ネットワーク経由で該ファームウエアアップデート手段にアクセスし、ＨＤ完全消去機能のインストールを行うＨＤ完全消去機能インストール手段からなるＨＤ完全消去機能インストールシステムにおいて、
前記ファームウエアアップデート手段に、ファームウエアアップデート実行手段と管理者パスワード有無判断手段と管理者パスワード設定手段を持たせ、
前記ＨＤ完全消去機能インストール手段に、管理者パスワード設定確認依頼手段と、管理者パスワード設定依頼手段を持つことを特徴とするＨＤ完全消去機能インストールシステム。
【請求項２】
デバイスのファームウエアをアップデートするファームウエアアップデート方法と、ネットワーク経由で該ファームウエアアップデート方法にアクセスし、ＨＤ完全消去機能のインストールを行うＨＤ完全消去機能インストール方法からなるＨＤ完全消去機能インストールシステムにおいて、
前記ファームウエアアップデート方法に、ファームウエアアップデート実行方法と管理者パスワード有無判断方法と管理者パスワード設定方法を持たせ、
前記ＨＤ完全消去機能インストール方法に、管理者パスワード設定確認依頼方法と、管理者パスワード設定依頼方法を持つことを特徴とするＨＤ完全消去機能インストール方法。
【請求項３】
デバイスのファームウエアをアップデートするファームウエアアップデート方法と、ネットワーク経由で該ファームウエアアップデート方法にアクセスし、ＨＤ完全消去機能のインストールを行うＨＤ完全消去機能インストール方法からなるＨＤ完全消去機能インストールシステムにおいて、
前記ファームウエアアップデート方法に、ファームウエアアップデート実行方法と管理者パスワード有無判断方法と管理者パスワード設定方法を持たせ、
前記ＨＤ完全消去機能インストール方法に、管理者パスワード設定確認依頼方法と、管理者パスワード設定依頼方法を持つことを特徴とするＨＤ完全消去機能インストールシステムの制御方法を含むコンピュータで読み取り可能な記憶媒体。
【発明の詳細な説明】
【技術分野】
【０００１】
本発明は、ＨＤ完全消去機能のインストール技術に関する。
【背景技術】
【０００２】
従来のＨＤ完全消去機能をインストール方法は、ＨＤ完全消去機能のインストール時に、デバイスの管理者パスワードの設定が有る無しに関わらず、ＨＤ完全消去機能のインストールを完了していたため、あらかじめ管理者パスワードの設定が無い場合、管理者権限無しでも、ＨＤ完全消去機能をＯＮ／ＯＦＦすることができた。
【０００３】
従来例としては、例えば特許文献１をあげることが出来る。
【特許文献１】特開平１１−２７２５６２号公報
【発明の開示】
【発明が解決しようとする課題】
【０００４】
しかしながら、ＨＤ完全消去機能のＯＮ／ＯＦＦは、デバイスの管理者権限のある場合のみ実行可能な仕様（デバイスの管理者モードにログインしなければ、ＨＤ完全消去機能のＯＮ／ＯＦＦを設定できない仕様）になっているため、あらかじめデバイスの管理者パスワードの設定がない場合、管理者権限の無しでも、ＨＤ完全消去機能をＯＮ／ＯＦＦすることが可能となるため、本来の仕様と矛盾が生じてしまうという問題があった。
【０００５】
本出願に係る発明の目的は、上記問題点を解決するためになされたもので、デバイスは、ユーザがHD完全消去機能をデバイスにインストールする際に、自動的に管理者パスワードの有無を確認し、管理者パスワードの設定が無い場合は、管理者パスワードの設定を要求し、管理者パスワードを設定しなければ、HDD完全消去機能をインストールすることを不可能にすることによって、ＨＤ完全消去機能のＯＮ／ＯＦＦ設定を必ず管理者権限で実行可能な仕様を保つことができる。
【課題を解決するための手段】
【０００６】
本発明は上記問題点を解決するために、ファームウエアアップデート手段と、ネットワーク経由で該ファームウエアアップデート手段にアクセスし、ＨＤ完全消去機能のインストールを行うＨＤ完全消去機能インストール手段からなるＨＤ完全消去機能インストールシステムにおいて、
前記ファームウエアアップデート手段に、ファームウエアアップデート実行手段と管理者パスワード有無判断手段と管理者パスワード設定手段を持たせ、
前記ＨＤ完全消去機能インストール手段に、管理者パスワード設定確認依頼手段と、管理者パスワード設定依頼手段を持たせた。
【発明の効果】
【０００７】
以上説明したように、本発明によれば、デバイスは、ユーザがHD完全消去機能をデバイスにインストールする際に、自動的に管理者パスワードの有無を確認し、管理者パスワードの設定が無い場合は、管理者パスワードの設定を要求し、管理者パスワードを設定しなければ、HDD完全消去機能をインストールすることを不可能にすることによって、ＨＤ完全消去機能のＯＮ／ＯＦＦ設定を必ず管理者権限で実行可能な仕様を保つことができる。
【発明を実施するための最良の形態】
【０００８】
以下、本発明の実施の形態について、図面を参照して説明する。
【０００９】
図１は、本発明の一実施形態に係るシステム構成図である。
【００１０】
図１において、ＰＣ１０２、デバイス１０４が、ネットワーク１０３で接続されている。
【００１１】
ＰＣ１０２は、ＨＤ完全消去機能インストール部１１１、インストール実行部１１２、管理者パスワード設定確認部１１３、管理者パスワード設定依頼部１１４を備えている。
【００１２】
ＰＣ１０２は、ユーザ１０１が使用する。ユーザ１０１は、インストール要求を発生させる。ＨＤ完全消去機能インストール部１１１は、ユーザ１０１のインストール要求を受けて、インストール実行部１１２にインストール実行依頼を要求する。インストール要求を受けたインストール実行部１１２は、管理者パスワード設定確認部１１２に、管理者パスワードの設定確認を要求する。管理者パスワード設定確認要求を受けた管理者パスワード設定確認部１１２は、ネットワークを介して、デバイスの管理者パスワード有無判断部１２２にアクセスし、管理者パスワードの有無を確認し、管理者パスワードが設定されていた場合、インストール実行部１１２にインストールの実行を要求し、インストール実行部１１２は、ネットワークを介して、デバイスのファームウエアアップデート部にアクセスし、インストールを実行する。
【００１３】
管理者パスワード設定確認部１１２は、ネットワークを介して、デバイスの管理者パスワード有無判断部１２２にアクセスし、管理者パスワードの有無を確認し、管理者パスワードが設定されていなかった場合、管理者パスワード設定依頼部１１４に管理者パスワード設定を依頼し、管理者パスワード設定依頼部１１４は、ネットワークを介して、デバイスの管理者パスワード設定部１２３にアクセスし、管理者パスワードを設定し、インストール実行部１１２にインストールの実行を要求し、インストール実行部１１２は、ネットワークを介して、デバイスのファームウエアアップデート部にアクセスし、インストールを実行する。
【００１４】
図２は、本発明のＰＣ１０２あるいはデバイス１０４を構成するコンピュータの内部構成を示した図である。
【００１５】
図２において、２００は、本発明のＰＣあるいは、デバイス１０４であり、図１における１０２あるいは、１０４と同等である。ＰＣあるいはデバイス２００は、ＲＯＭ２０２もしくはハードディスク（ＨＤ）２０４に記憶されたソフトウェアを実行するＣＰＵ２０１を備え、システムバス２０６に接続される各デバイスを総括的に制御する。
【００１６】
２０３はＲＡＭで、ＣＰＵ２０１の主メモリ、ワークエリア等として機能する。２０５はＬＡＮで、ネットワーク２０７を通じて、他のネットワーク機器あるいは他のＰＣと双方向にデータをやりとりする。
【００１７】
以下、フローチャートを用いて、上述の実施形態のシステム動作を説明する。
【００１８】
図３は、図１のシステムにおける全体の動作を示すフローチャートである。
本動作は、ＰＣ１０２上のＣＰＵ２０１、及び、デバイス１０４上のＣＰＵ２０１によって実行される。
【００１９】
プログラムが開始すると（ステップ３０１）、まずステップ３０２において、管理者パスワード設定確認部１１３は、ネットワークを介して、デバイスの管理者パスワード有無判断部１２２にアクセスし、管理者パスワードの有無を確認し、管理者パスワードが設定されていた場合、ステップ３０４に進む。ステップ３０４において、インストール実行部１１２は、ネットワークを介して、デバイスのファームウエアアップデート部にアクセスし、インストールを実行する。
【００２０】
ステップ３０２において、管理者パスワードが設定されていなかった場合、ステップ３０３に進む。ステップ３０３において、管理者パスワード設定依頼部１１４は、ユーザに対して管理者パスワードの設定を要求し、ユーザの入力した管理者パスワードの値を、ネットワークを介して、デバイスの管理者パスワード設定部１２３に受け渡し、管理者パスワードの設定を要求し、ステップ３０４に進む。ステップ３０４において、デバイスの管理者パスワード設定部１２３は、受け取った管理者パスワードの値を、デバイスの管理者パスワードに設定し、ステップ３０４に進む。
【図面の簡単な説明】
【００２１】
【図１】本発明の一実施形態に係るシステム構成図。
【図２】本発明のＰＣ１０２あるいはデバイス１０４を構成するコンピュータの内部構成を示した図。
【図３】図１のシステムにおける全体の動作を示すフローチャート。
【符号の説明】
【００２２】
１０１  ユーザ
１０２  ＰＣ
１０３  ネットワーク
１０４  デバイス
１１１  ＨＤ完全消去機能インストール部
１１２  インストール実行部
１１３  管理者パスワード設定確認部
１１４  管理者パスワード設定依頼部
１２０  ファームウエアアップデート部
１２１  ファームウエアアップデート実行部
１２２  管理者パスワード有無判断部
１２３  管理者パスワード設定部
２００  本発明のＰＣあるいは、デバイス
２０１  ＣＰＵ
２０２  ＲＯＭ
２０３  ＲＡＭ
２０４  ＨＤ
２０５  ＬＡＮ
２０６  システムバス
２０７  ネットワーク
【図１】
2007086895.tif 000003
【図２】
2007086895.tif 000004
【図３】
2007086895.tif 000005